(57)【要約】【課題】ビデオカメラ等の撮影データに併せて環境情報を取得して環境情報に基づく様々な関連情報を提供することを可能とした装置および方法を提供する。【解決手段】撮像装置において、撮影データに併せて撮影場所を示す位置情報、時間情報、その他の様々な環境情報を取得して撮影データとともに記録しネットワークを介して出力する。受信装置は、環境情報に基づく表示情報、例えば、位置情報に基づく地図情報や都市名、あるいは観光情報などの詳細情報、また、位置および時間情報に基づく天候情報などをデータベースやサーバから取得して表示する。本構成により、撮影データに対応する様々な関連情報の取得、表示が可能となる。【選択図】図２
2008099094.tif 000002
【特許請求の範囲】
【請求項１】
撮像装置および受信装置間でデータ通信を行なうデータ通信システムであり、
前記撮像装置は、
撮影情報の取得を行なう撮影情報取得部と、
環境情報の取得を行なう環境情報取得部と、
前記撮影情報取得部の取得した撮影情報と、前記環境情報取得部の取得した環境情報とを前記受信装置に対して送信するデータ送信部とを有し、
前記受信装置は、
前記撮像装置から受信する環境情報に基づく環境情報対応表示情報を生成する環境情報対応表示情報生成部と、
前記撮像装置から受信する撮影情報と、前記環境情報対応表示情報とに基づく合成表示情報を生成する映像合成部と、
前記映像合成部の合成した表示情報を出力する映像出力部と、
を有する構成であることを特徴とするデータ通信システム。
【請求項２】
前記撮像装置における前記環境情報取得部は、位置情報、時間、温度、湿度、風向、風速、気圧、紫外線量、これらのいずれかの情報を環境情報として取得する構成であることを特徴とする請求項１に記載のデータ通信システム。
【請求項３】
前記受信装置は、さらに、
前記撮像装置から受信する環境情報に対応する詳細情報を、データベースまた外部サーバから取得する処理を実行する環境情報対応情報取得部を有し、
前記映像合成部は、
環境情報対応情報取得部の取得した環境情報対応詳細情報を含む合成表示情報を生成する処理を実行する構成であることを特徴とする請求項１に記載のデータ通信システム。
【請求項４】
前記受信装置の前記映像合成部は、
前記撮像装置から受信する環境情報に対応する詳細情報をジャンル別に選択可能とした詳細情報要求用のアイコンを設定した表示情報を生成する構成であることを特徴とする請求項１に記載のデータ通信システム。
【請求項５】
前記受信装置は、
前記アイコンの指定情報を入力し、該アイコン指定情報に基づいて指定されたアイコンによって特定されるジャンルに対応する詳細情報を、データベースまた外部サーバから取得する処理を実行する環境情報対応情報取得部を有することを特徴とする請求項４に記載のデータ通信システム。
【請求項６】
撮影情報の取得を行なう撮影情報取得部と、
環境情報の取得を行なう環境情報取得部と、
前記撮影情報取得部の取得した撮影情報と、前記環境情報取得部の取得した環境情報とを前記受信装置に対して送信するデータ送信部と、
を有することを特徴とする撮像装置。
【請求項７】
前記環境情報取得部は、位置情報、時間、温度、湿度、風向、風速、気圧、紫外線量、これらのいずれかの情報を環境情報として取得する構成であることを特徴とする請求項６に記載の撮像装置。
【請求項８】
前記データ送信部は、
前記環境情報を撮影情報の送信データであるストリーミングデータ内に含めて送信する処理を実行する構成であることを特徴とする請求項６に記載の撮像装置。
【請求項９】
前記データ送信部は、
前記環境情報を撮影情報の送信データとは異なるシグナリングメッセージに含めて送信する処理を実行する構成であることを特徴とする請求項６に記載の撮像装置。
【請求項１０】
ネットワークを介してデータ受信を行い再生データの生成を行なうデータ受信装置であり、
撮像装置から撮影情報および環境情報を受信するデータ受信部と、
前記環境情報に基づく環境情報対応表示情報を生成する環境情報対応表示情報生成部と、
前記撮像装置から受信する撮影情報と、前記環境情報対応表示情報とに基づく合成表示情報を生成する映像合成部と、
前記映像合成部の合成した表示情報を出力する映像出力部と、
を有することを特徴とするデータ受信装置。
【請求項１１】
前記データ受信部は、撮像装置から、位置情報、時間、温度、湿度、風向、風速、気圧、紫外線量、これらのいずれかの環境情報を受信し、
前記環境情報対応表示情報生成部は、撮像装置から受信する位置情報、時間、温度、湿度、風向、風速、気圧、紫外線量、これらのいずれかの環境情報に基づく環境情報対応表示情報を生成する処理を実行する構成であることを特徴とする請求項１０に記載のデータ受信装置
【請求項１２】
前記データ受信装置は、さらに、
前記撮像装置から受信する環境情報に対応する詳細情報を、データベースまた外部サーバから取得する処理を実行する環境情報対応情報取得部を有し、
前記映像合成部は、
環境情報対応情報取得部の取得した環境情報対応詳細情報を含む合成表示情報を生成する処理を実行する構成であることを特徴とする請求項１０に記載のデータ受信装置。
【請求項１３】
前記映像合成部は、
前記撮像装置から受信する環境情報に対応する詳細情報をジャンル別に選択可能とした詳細情報要求用のアイコンを設定した表示情報を生成する構成であることを特徴とする請求項１０に記載のデータ受信装置。
【請求項１４】
前記データ受信装置は、
前記アイコンの指定情報を入力し、該アイコン指定情報に基づいて指定されたアイコンによって特定されるジャンルに対応する詳細情報を、データベースまた外部サーバから取得する処理を実行する環境情報対応情報取得部を有することを特徴とする請求項１３に記載のデータ受信装置。
【請求項１５】
撮像装置におけるデータ処理方法であり、
撮影情報取得部において撮影情報の取得を行なう撮影情報取得ステップと、
環境情報取得部において環境情報の取得を行なう環境情報取得ステップと、
データ送信部において前記撮影情報取得部の取得した撮影情報と、前記環境情報取得部の取得した環境情報とを前記受信装置に対して送信するデータ送信ステップと、
を有することを特徴とするデータ処理方法。
【請求項１６】
ネットワークを介してデータ受信を行い再生データの生成を行なうデータ受信装置におけるデータ処理方法であり、
データ受信部において撮像装置から撮影情報および環境情報を受信するデータ受信ステップと、
環境情報対応表示情報生成部において前記環境情報に基づく環境情報対応表示情報を生成する環境情報対応表示情報生成ステップと、
映像合成部において前記撮像装置から受信する撮影情報と、前記環境情報対応表示情報とに基づく合成表示情報を生成する映像合成ステップと、
映像出力部において前記映像合成部の合成した表示情報を出力する映像出力ステップと、
を有することを特徴とするデータ処理方法。
【請求項１７】
撮像装置においてデータ処理を実行させるコンピュータ・プログラムであり、
撮影情報取得部において撮影情報の取得を行なわせる撮影情報取得ステップと、
環境情報取得部において環境情報の取得を行なわせる環境情報取得ステップと、
データ送信部において前記撮影情報取得部の取得した撮影情報と、前記環境情報取得部の取得した環境情報とを前記受信装置に対して送信させるデータ送信ステップと、
を実行させることを特徴とするコンピュータ・プログラム。
【請求項１８】
ネットワークを介してデータ受信を行い再生データの生成を行なうデータ受信装置においてデータ処理を実行させるコンピュータ・プログラムであり、
データ受信部において撮像装置から撮影情報および環境情報を受信させるデータ受信ステップと、
環境情報対応表示情報生成部において前記環境情報に基づく環境情報対応表示情報を生成させる環境情報対応表示情報生成ステップと、
映像合成部において前記撮像装置から受信する撮影情報と、前記環境情報対応表示情報とに基づく合成表示情報を生成させる映像合成ステップと、
映像出力部において前記映像合成部の合成した表示情報を出力させる映像出力ステップと、
を実行させることを特徴とするコンピュータ・プログラム。
【発明の詳細な説明】
【技術分野】
【０００１】
本発明は、データ通信システム、撮像装置、データ受信装置、および方法、並びにコンピュータ・プログラムに関する。さらに、詳細には、例えばビデオカメラやスチルカメラなどの撮像装置において取得した撮影データをインターネット等のネットワークを介して受信装置に転送し再生する構成において、撮影データに併せて各種の環境情報を送信して、受信側で環境情報を提示する処理や、環境情報に基づく新たなデータの取得および出力を行なうデータ通信システム、撮像装置、データ受信装置、および方法、並びにコンピュータ・プログラムに関する。
【背景技術】
【０００２】
昨今、多くのユーザがビデオカメラやスチルカメラを利用した撮影を行なっている。これらのカメラ（撮像装置）によって撮影されたデータは、カメラに装着された記録媒体、例えばＨＤＤ（Ｈａｒｄ  Ｄｉｓｋ  Ｄｒｉｖｅ）やＤＶＤ（Ｄｉｇｉｔａｌ  Ｖｅｒｓａｔｉｌｅ  Ｄｉｓｃ）、フラッシュメモリ（Ｆｌａｓｈ  Ｍｅｍｏｒｙ）、磁気テープなどに記録される。再生を行なう場合は、例えばＴＶなどの再生装置とカメラをケーブル接続してこれらの記録媒体に記録されたデータを出力して再生するという処理が一般的である。
【０００３】
しかし、例えば、旅行や遊園地に行って撮影を行なう場合や、パーティーなどに参加してカメラを用いて様々な撮影を行なう場合など、撮影されている生の映像を遠隔地にいる人々に見せたいという場合もある。
【０００４】
ブロードバンドインターネットの普及により、ＰＣなどを用いて、映像・音声をストリーミング受信して再生することが容易であり、また、デジタルスチルカメラやデジタルビデオカメラなどの撮像装置においても、８０２．１１ｇなどの無線ＬＡＮやｅｔｈｅｒｎｅｔなどの有線ＬＡＮに接続するネットワークＩ／Ｆを持ち、映像・音声をストリーミング送信する機能が開発されており、これらの機能を適用することで、カメラ撮影データのネットワークを介した送信、受信側でのストリーミング再生が実現される。
【０００５】
しかし、このようなストリーミング再生処理において、データ受信および再生を行なう受信側の装置では、受信する映像や音声は視聴することができても、データ送信側の撮像装置のユーザが今どこで撮影しているのか、またこれはどこで・どんな状況で撮影したものなのか、といった情報（環境情報）を知ることができない。
【０００６】
例えば、撮影データの撮影位置などの情報（環境情報）が得られれば、例えばインターネットに接続された地図情報提供サーバから撮影地点の地図などを得ることも可能となる。撮影情報に対する属性情報を含めて記憶したり、送信する構成を開示した従来技術としては、例えば特許文献１（特開２００１−２９２３８５）がある。この特許文献１には、十分な品質のストリーミング映像を受信できない際にもその映像の関連情報は表示できるよう、ストリーミングデータに関連情報の再生時間などを含めて送り、予め与えられたシナリオ（どのタイミングでどの画像を出すかなど）に従って、その関連情報を表示する構成について開示している。
【０００７】
しかし、この特許文献１に記載の構成は、事前に決められたシナリオを与えて表示させる方法であり、受信側のユーザがインターネットなどから欲しい情報を取得して表示できるものではない。
【０００８】
また、特許文献２（特開２００３−３７８３７）や、特許文献３（特開２００６−１０８９５９）は、携帯電話によるＴＶ電話時に、自身の位置情報を相手の機器に表示するために、ＧＰＳ（Ｇｌｏｂａｌ  Ｐｏｓｉｔｉｏｎｉｎｇ  Ｓｙｓｔｅｍ）から得た位置情報をストリーミングに含めて送信し、受信側で基地局から地図をダウンロードする方法や、ＧＰＳから得た位置情報を地図に変換してからストリーミングに含めて送信し、受信側で表示する方法などが挙げられている。しかし、これらは位置情報だけを直接伝えているもので、上記同様、受信側のユーザが選択的に、インターネットなどを経由して詳細な情報を取得して表示できる構成とはなっていない。
【特許文献１】特開２００１−２９２３８５号公報
【特許文献２】特開２００３−３７８３７号公報
【特許文献３】特開２００６−１０８９５９号公報
【発明の開示】
【発明が解決しようとする課題】
【０００９】
本発明は、上述の状況に鑑みてなされたものであり、例えばビデオカメラやスチルカメラなどの撮像装置において取得した撮影データをインターネット等のネットワークを介して受信装置に転送し再生する構成において、撮影データに併せて各種の環境情報を転送して、受信側で環境情報を提示する処理や、環境情報に基づく新たなデータの取得および出力を行なうことを可能としたデータ通信システム、撮像装置、データ受信装置、および方法、並びにコンピュータ・プログラムを提供することを目的とする。
【課題を解決するための手段】
【００１０】
本発明の第１の側面は、
撮像装置および受信装置間でデータ通信を行なうデータ通信システムであり、
前記撮像装置は、
撮影情報の取得を行なう撮影情報取得部と、
環境情報の取得を行なう環境情報取得部と、
前記撮影情報取得部の取得した撮影情報と、前記環境情報取得部の取得した環境情報とを前記受信装置に対して送信するデータ送信部とを有し、
前記受信装置は、
前記撮像装置から受信する環境情報に基づく環境情報対応表示情報を生成する環境情報対応表示情報生成部と、
前記撮像装置から受信する撮影情報と、前記環境情報対応表示情報とに基づく合成表示情報を生成する映像合成部と、
前記映像合成部の合成した表示情報を出力する映像出力部と、
を有する構成であることを特徴とするデータ通信システムにある。
【００１１】
さらに、本発明のデータ通信システムの一実施態様において、前記撮像装置における前記環境情報取得部は、位置情報、時間、温度、湿度、風向、風速、気圧、紫外線量、これらのいずれかの情報を環境情報として取得する構成であることを特徴とする。
【００１２】
さらに、本発明のデータ通信システムの一実施態様において、前記受信装置は、さらに、前記撮像装置から受信する環境情報に対応する詳細情報を、データベースまた外部サーバから取得する処理を実行する環境情報対応情報取得部を有し、前記映像合成部は、環境情報対応情報取得部の取得した環境情報対応詳細情報を含む合成表示情報を生成する処理を実行する構成であることを特徴とする。
【００１３】
さらに、本発明のデータ通信システムの一実施態様において、前記受信装置の前記映像合成部は、前記撮像装置から受信する環境情報に対応する詳細情報をジャンル別に選択可能とした詳細情報要求用のアイコンを設定した表示情報を生成する構成であることを特徴とする。
【００１４】
さらに、本発明のデータ通信システムの一実施態様において、前記受信装置は、前記アイコンの指定情報を入力し、該アイコン指定情報に基づいて指定されたアイコンによって特定されるジャンルに対応する詳細情報を、データベースまた外部サーバから取得する処理を実行する環境情報対応情報取得部を有することを特徴とする。
【００１５】
さらに、本発明の第２の側面は、
撮影情報の取得を行なう撮影情報取得部と、
環境情報の取得を行なう環境情報取得部と、
前記撮影情報取得部の取得した撮影情報と、前記環境情報取得部の取得した環境情報とを前記受信装置に対して送信するデータ送信部と、
を有することを特徴とする撮像装置にある。
【００１６】
さらに、本発明の撮像装置の一実施態様において、前記環境情報取得部は、位置情報、時間、温度、湿度、風向、風速、気圧、紫外線量、これらのいずれかの情報を環境情報として取得する構成であることを特徴とする。
【００１７】
さらに、本発明の撮像装置の一実施態様において、前記データ送信部は、前記環境情報を撮影情報の送信データであるストリーミングデータ内に含めて送信する処理を実行する構成であることを特徴とする。
【００１８】
さらに、本発明の撮像装置の一実施態様において、前記データ送信部は、前記環境情報を撮影情報の送信データとは異なるシグナリングメッセージに含めて送信する処理を実行する構成であることを特徴とする。
【００１９】
さらに、本発明の第３の側面は、
ネットワークを介してデータ受信を行い再生データの生成を行なうデータ受信装置であり、
撮像装置から撮影情報および環境情報を受信するデータ受信部と、
前記環境情報に基づく環境情報対応表示情報を生成する環境情報対応表示情報生成部と、
前記撮像装置から受信する撮影情報と、前記環境情報対応表示情報とに基づく合成表示情報を生成する映像合成部と、
前記映像合成部の合成した表示情報を出力する映像出力部と、
を有することを特徴とするデータ受信装置にある。
【００２０】
さらに、本発明のデータ受信装置の一実施態様において、前記データ受信部は、撮像装置から、位置情報、時間、温度、湿度、風向、風速、気圧、紫外線量、これらのいずれかの環境情報を受信し、前記環境情報対応表示情報生成部は、撮像装置から受信する位置情報、時間、温度、湿度、風向、風速、気圧、紫外線量、これらのいずれかの環境情報に基づく環境情報対応表示情報を生成する処理を実行する構成であることを特徴とする。
【００２１】
さらに、本発明のデータ受信装置の一実施態様において、前記データ受信装置は、さらに、前記撮像装置から受信する環境情報に対応する詳細情報を、データベースまた外部サーバから取得する処理を実行する環境情報対応情報取得部を有し、前記映像合成部は、環境情報対応情報取得部の取得した環境情報対応詳細情報を含む合成表示情報を生成する処理を実行する構成であることを特徴とする。
【００２２】
さらに、本発明のデータ受信装置の一実施態様において、前記映像合成部は、前記撮像装置から受信する環境情報に対応する詳細情報をジャンル別に選択可能とした詳細情報要求用のアイコンを設定した表示情報を生成する構成であることを特徴とする。
【００２３】
さらに、本発明のデータ受信装置の一実施態様において、前記データ受信装置は、前記アイコンの指定情報を入力し、該アイコン指定情報に基づいて指定されたアイコンによって特定されるジャンルに対応する詳細情報を、データベースまた外部サーバから取得する処理を実行する環境情報対応情報取得部を有することを特徴とする。
【００２４】
さらに、本発明の第４の側面は、
撮像装置におけるデータ処理方法であり、
撮影情報取得部において撮影情報の取得を行なう撮影情報取得ステップと、
環境情報取得部において環境情報の取得を行なう環境情報取得ステップと、
データ送信部において前記撮影情報取得部の取得した撮影情報と、前記環境情報取得部の取得した環境情報とを前記受信装置に対して送信するデータ送信ステップと、
を有することを特徴とするデータ処理方法にある。
【００２５】
さらに、本発明の第５の側面は、
ネットワークを介してデータ受信を行い再生データの生成を行なうデータ受信装置におけるデータ処理方法であり、
データ受信部において撮像装置から撮影情報および環境情報を受信するデータ受信ステップと、
環境情報対応表示情報生成部において前記環境情報に基づく環境情報対応表示情報を生成する環境情報対応表示情報生成ステップと、
映像合成部において前記撮像装置から受信する撮影情報と、前記環境情報対応表示情報とに基づく合成表示情報を生成する映像合成ステップと、
映像出力部において前記映像合成部の合成した表示情報を出力する映像出力ステップと、
を有することを特徴とするデータ処理方法にある。
【００２６】
さらに、本発明の第６の側面は、
撮像装置においてデータ処理を実行させるコンピュータ・プログラムであり、
撮影情報取得部において撮影情報の取得を行なわせる撮影情報取得ステップと、
環境情報取得部において環境情報の取得を行なわせる環境情報取得ステップと、
データ送信部において前記撮影情報取得部の取得した撮影情報と、前記環境情報取得部の取得した環境情報とを前記受信装置に対して送信させるデータ送信ステップと、
を実行させることを特徴とするコンピュータ・プログラムにある。
【００２７】
さらに、本発明の第７の側面は、
ネットワークを介してデータ受信を行い再生データの生成を行なうデータ受信装置においてデータ処理を実行させるコンピュータ・プログラムであり、
データ受信部において撮像装置から撮影情報および環境情報を受信させるデータ受信ステップと、
環境情報対応表示情報生成部において前記環境情報に基づく環境情報対応表示情報を生成させる環境情報対応表示情報生成ステップと、
映像合成部において前記撮像装置から受信する撮影情報と、前記環境情報対応表示情報とに基づく合成表示情報を生成させる映像合成ステップと、
映像出力部において前記映像合成部の合成した表示情報を出力させる映像出力ステップと、
を実行させることを特徴とするコンピュータ・プログラムにある。
【００２８】
なお、本発明のコンピュータ・プログラムは、例えば、様々なプログラム・コードを実行可能な汎用コンピュータ・システムに対して、コンピュータ可読な形式で提供する記憶媒体、通信媒体、例えば、ＣＤやＦＤ、ＭＯなどの記憶媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００２９】
本発明のさらに他の目的、特徴や利点は、後述する本発明の実施例や添付する図面に基づく、より詳細な説明によって明らかになるであろう。なお、本明細書においてシステムとは、複数の装置の論理的集合構成であり、各構成の装置が同一筐体内にあるものには限らない。
【発明の効果】
【００３０】
本発明の一実施例の構成では、例えばビデオカメラ等の撮像装置において、撮影データに併せて、撮影場所を示す位置情報、時間情報、その他温度、湿度などの様々な環境情報を取得して撮影データとともに記録し、ネットワークを介して出力する。受信側の受信装置では、受信環境情報に基づく様々な表示情報、例えば、位置情報に基づく地図情報や都市名などの表示情報、あるいは観光情報などの詳細情報、また、位置および時間情報に基づく天候情報などをデータベースやサーバから取得して表示する。本構成により、撮影データのみならず、撮影データに対応する様々な関連情報を効率的に取得して表示することが可能となる。
【発明を実施するための最良の形態】
【００３１】
以下、図面を参照しながら、本発明のデータ通信システム、撮像装置、データ受信装置、および方法、並びにコンピュータ・プログラムの詳細について説明する。本発明は、ビデオカメラやスチルカメラなどの撮像装置において取得した撮影データをインターネット等のネットワークを介して受信装置に転送し再生するとともに、撮影データに併せて各種の環境情報を取得して転送し、受信側で環境情報を提示する処理や、環境情報に基づく新たなデータの取得および出力を行なうものである。
【００３２】
なお、以下の実施例では、撮像装置の一例としてデジタルビデオカメラを適用した例を示し、デジタルビデオカメラから受信装置に送信するデータは、デジタルビデオカメラが撮影中のデータを撮影しながら送信して受信側において再生するストリーミング再生処理例について説明するが、撮像装置はデジタルスチルカメラであってもよく、また、ネットワークを介して転送するデータは、撮影後に撮像装置の記録媒体（例えばＤＶＤ、ＨＤＤ、フラッシュメモリ、磁気テープ等）に記録済みのデータを再生したデータであってもよい。
【００３３】
まず、図１を参照して、本発明の一実施例に係るデータ通信システムのシステム構成例を示す。本実施例は、図１に示すようにあるユーザＡ１０が撮像装置１０１を用いて撮影を行い、撮影データをネットワーク１０２を介して受信側のユーザＢ２０の受信装置１０３に送信し、入出力手段（例えば入力手段を持つＴＶ）１０４において撮影データの再生を行なう構成例である。
【００３４】
撮像装置１０１はいわゆるデジタルスチルカメラやデジタルビデオカメラなどであり、撮像した映像・音声を磁気テープやＨＤＤなどの記憶装置に適切なコーデックを用いてエンコードするなどして記録する装置である。さらに撮像装置１０１は、ＩＥＥＥ８０２．１１ｇなどの無線ＬＡＮやｅｔｈｅｒｎｅｔ（イーサネット（登録商標））などの有線ＬＡＮへ接続するためのネットワークＩ／Ｆを持ち、撮像中や再生中の映像・音声、記憶装置に記録されている映像・音声を、ＭＰＥＧ４やＨ．２６４／ＡＶＣなどのネットワークに適したコーデックを用いてエンコードし、ストリーミング送信する。なお、撮像装置の詳細な構成例については後段で説明する。
【００３５】
一方、受信装置１０３は、同様にネットワークＩ／Ｆを持ち、撮像装置１０１からのストリーミングデータを受信してデコードし、その映像・音声を入出力手段１０４に出力する。なお、図では、受信装置１０３、入出力手段１０４を個別に示しているが、これらは１つの装置として構成してもよい。すなわち、表示機能・再生機能と、受信機能を持つ１つの装置としてもよい。
【００３６】
撮像装置１０１と受信装置１０３は、インターネットなどのネットワーク１０２にて接続され、ネットワーク１０２を介したデータ送受信を行なう。撮像装置１０１において撮像中または再生中の映像、または磁気テープやＨＤＤなどの記憶装置に記録されていた映像・音声データがネットワーク１０２を介してストリーミング送信される。
【００３７】
さらに、撮像装置１０１は、映像、音声データの撮影データの他、環境情報を取得し、取得した環境情報を撮影データに併せて記憶装置に記録するとともに、ネットワーク１０２を介して送信する処理を実行する。環境情報とは、撮像装置１０１の現在位置や、データ記録を実際に行った場所といった「位置情報（緯度・経度）」や、「時間」、「温度」、「湿度」、「風向」、「風速」、「気圧」、「紫外線量」といった情報である。
【００３８】
撮像装置１０１はこれらの環境情報を取得する各種センサ類が備えられている。例えば、ＧＰＳ、時計、温度計、湿度計、風速、空気圧センサ、紫外線センサ、タイマなどのセンサを備えており、これらのセンサ取得情報を撮影データに対応させて記録するとともに、送信を行なう。なお、これらの環境情報は、撮像装置１０１のセンサから取得するばかりでなく、例えば、撮像装置１０１の通信可能な無線ＬＡＮのアクセスポイントなどから取得する構成としてもよい。
【００３９】
撮像装置１０１は、撮影データの送信の際にこれらの環境情報をデータ受信側に対して送信する。なお、これらの「環境情報」は、映像・音声のストリーミング自身に含めるか、もしくはシグナリングのメッセージなどによって、撮像装置１０１から受信装置１０３に送られる。なおこの環境情報の送信処理は、予め規定した一定間隔ごとに行なう設定としてもよいし、センシング情報に変化が確認された場合に送信する構成としてもよい。
【００４０】
受信装置１０３は、撮像装置１０１から撮影データである映像、音声データからなるストリーミングデータとともに、その撮影データに対応する「環境情報」を受信する。すなわち、上述した撮像装置１０１の現在位置や、データ記録を実際に行った場所といった「位置情報（緯度・経度）」や、「時間」、「温度」、「湿度」、「風向」、「風速」、「気圧」、「紫外線量」といった情報である。受信装置１０３は、これらの情報を入出力手段１０４に出力してディスプレイに表示する。
【００４１】
さらに、受信装置１０３は、図２に示すように、必要に応じて、撮像装置１０１から受信した「環境情報」をもとに、自身が持つデータベース１２１や、インターネット上のサーバ１２２などからより詳細な情報（地図、天気、観光情報など）を取得し、ストリーミング受信している映像・音声と併せて出力する。データベース１２１には、各種の環境情報に対応する詳細情報、例えば地図データや観光情報などが格納されている。また、インターネット上のサーバ１２２としては、専用のサーバを利用する構成としても、既存の情報提供サーバ、検索エンジンを利用する構成としてもよい。受信装置１０３は、データベース１２１、あるいはサーバ１２２から、撮像装置１０１から受信した「環境情報」に対応する詳細な情報、例えば、地図、天気、観光情報などを取得し、ストリーミング受信している映像・音声と併せて入出力手段１０４に出力する。
【００４２】
受信装置１０３が実行する「環境情報」に基づく詳細情報を取得する処理には、複数の処理態様がある。例えば以下の処理構成に従った処理を行なう。
（ａ）受信装置１０３が撮像装置１０１から「環境情報」を受信したことを条件として、データベース１２１または外部サーバ１２２に対して、取得環境情報に基づく検索を実行して、検索結果を入出力手段１０４に出力する構成。
（ｂ）入出力手段１０４のディスプレイに表示可能な詳細情報の候補をアイコンなどで表示し、ユーザからアイコン操作に基づく詳細情報取得リクエストを受領して、このリクエストの受領に基づいて指定された環境情報に基づく検索を実行して、検索結果を入出力手段１０４に出力する構成。
（ｃ）受信装置１０３が、撮像装置１０１からの「環境情報」の受信を条件として、データベース１２１またはサーバ１２２にアクセスし、「環境情報」に対して、その時点で提供可能な情報のジャンル（「地図」「観光」「グルメ」など）のリストを作成し、その提供可能なジャンルのアイコンを入出力手段１０４のディスプレイに表示する。（もしくは、提供できる情報を違う色で表示する設定としてもよい。）次に、ユーザＢ２０がその提供可能なジャンルのアイコンから、見たいジャンル（例えば「観光」）を選択すると、その選択情報を入力し、受信装置１０３は再度データベース１２１やサーバ１２２をアクセスして、選択された環境情報に対応する詳細情報を取得して、入出力手段１０４のディスプレイに表示する。
これらの処理のいずれか、またはこれらの処理の組み合わせに基づく処理が実行される。
【００４３】
入出力手段１０４のディスプレイに表示されるデータ例について、図３を参照して説明する。図３に示す表示データ例は、上記（ｃ）の処理例に従った表示データ例である。入出力手段１０４のディスプレイには、ストリーミングデータ表示領域２０１、環境情報表示領域２０２、環境情報対応詳細情報表示領域２０３が設定される。
【００４４】
ストリーミングデータ表示領域２０１には、撮像装置１０１から受信する撮影データであるストリーミングデータが表示される。環境情報表示領域２０２には撮像装置１０１から受信するストリーミングデータに対応する環境情報に基づいて生成される環境情報対応表示情報２１１と、環境情報に対応する詳細情報のジャンル指定用のアイコン２１２が表示される。
【００４５】
アイコン２１２は、撮像装置１０１から受信するストリーミングデータに対応する環境情報に対応する詳細情報のジャンルを指定するためのアイコンである。これらのアイコンは、データベース１２１あるいはサーバ１２２から詳細情報が取得可能である場合と、不可能な場合とで、異なる表示態様で表示される。図に示す例では、［地図］、［ショッピング］、［グルメ］、［観光］、［今日のイベント］の各ジャンルの指定アイコンを示しているが、これらのアイコン中、［地図］、［ショッピング］、［グルメ］、［観光］は、これらのジャンルに対応する詳細情報を取得可能であり、［今日のイベント］については、このジャンルに対応する詳細情報の取得が不可能である。［地図］、［ショッピング］、［グルメ］、［観光］のアイコンと、［今日のイベント］のアイコンでは、異なる表示態様、例えば表示色が異なる態様、あるいは輝度の異なる態様で表示する。この表示の差異によって、ユーザＢ２０は、詳細情報の取得可否を判別することができる。なお、詳細情報の取得が不可能なジャンル対応アイコンは非表示とする設定でもよい。
【００４６】
さらに、図３に示す例では、［観光］アイコン２２１をユーザが指定した状態であり、既に観光に関する詳細情報が環境情報対応詳細情報２０３としてディスプレイに表示された例を示している。このユーザ選択アイコンである［観光］アイコン２２１も、他のアイコンとは異なる表示態様、例えば表示色の変更や、点滅などを行い、選択中のアイコンであることが識別可能な設定とされる。
【００４７】
これらの表示情報の生成は、受信装置１０３において実行される。例えば、図３に示す環境情報対応表示情報２１１は、受信装置１０３が撮像装置１０１から受信する環境情報に基づいて生成して表示する情報である。受信装置１０３は、撮像装置１０１から受信する様々な環境情報に基づいて、様々な表示情報を生成する。この環境情報対応表示情報の生成処理例について図４を参照して説明する。
【００４８】
例えば図４に示すように、
撮像装置から取得する環境情報が、位置情報、すなわち、緯度、経度情報などの位置情報である場合、受信装置１０３は、データベース１２１またはサーバ１２２から緯度、経度情報に基づく地図や、地名／国名情報などを取得して環境情報対応表示情報として表示する。図３に示す例では、［ミラノ／イタリア］が、環境情報としての［位置情報］に対応する環境情報対応表示情報である。
【００４９】
また、撮像装置から取得する環境情報が、時刻情報である場合は、受信装置１０３は、その受信した時刻情報そのものを環境情報対応表示情報として表示する。図３に示す例では、［２００５年６月１７日］が、環境情報としての［時刻情報］に対応する環境情報対応表示情報である。
【００５０】
さらに、撮像装置から取得する環境情報が位置情報である場合は、地図や、地名／国名情報の他、受信装置１０３は、データベース１２１またはサーバ１２２から緯度、経度情報に基づいて得られる地点の天候情報を取得して、取得した天候情報を環境情報対応表示情報として表示する。図３に示す例では、［天候：くもり］が、環境情報としての［位置情報］に対応する環境情報対応表示情報として表示される。
【００５１】
また、撮像装置から取得する環境情報が、温度情報である場合、受信装置１０３は、その受信した温度情報そのものを環境情報対応表示情報として表示する。図３に示す例では、［気温：２１℃］が、環境情報としての［温度情報］に対応する環境情報対応表示情報である。さらに、環境情報としての［温度情報］に対応する環境情報対応表示情報としては、平年との温度差などの情報表示を行ってもよい。
【００５２】
また、撮像装置から取得する環境情報が、方位情報である場合には、カメラの向いている方角情報を表示する処理、地図をカメラの向きに合わせて回転表示するなどの表示情報の生成を行って入出力手段１０４に出力する。
【００５３】
このように、受信装置１０３は、撮像装置１０１から受信する環境情報、すなわち「位置情報」、「時間」、「温度」、「湿度」、「風向」、「風速」、「気圧」、「紫外線量」といった環境情報に基づいてデータベース１２１、サーバ１２２から環境情報対応の情報を取得して、入出力手段１０４に出力する環境情報対応表示情報を生成し出力する。
【００５４】
以下、具体的な環境情報に基づく環境情報対応表示情報、および環境情報対応詳細情報の取得、表示処理例について説明する。
【００５５】
［処理例１：撮像記録中の映像・音声をストリーミングする場合］
撮像装置１０１のユーザＡ１０は、電車に乗りながら車外の風景を撮像・記録している。
撮像装置１０１は、車内の無線ＬＡＮにてインターネットに接続されているとともに、撮像装置１０１に備えられたＧＰＳにより位置情報を取得し、撮影データおよび環境情報（ＧＰＳ取得情報）を記憶手段に記録している。さらに、撮像装置１０１は撮像している映像・音声および環境情報（位置情報）を、インターネットを経由して自宅にストリーミング送信する。
【００５６】
自宅にある受信装置１０３では、ストリーミング映像・音声とともに受信した位置情報を用いて、データベース１２１またはサーバ１２２から詳細な地図データなどを取得し、電車が今いる地点の地図や、その移動の軌跡情報を取得または生成して、入出力手段１０４のディスプレイに刻一刻と表示する。
【００５７】
このようなデータの表示を行なうことで、自宅にいる受信装置１０３側のユーザＢ２０、例えば家族が、地図を選択して拡大・縮小などを指示すると、データベース１２１またはサーバ１２２から所望の地図が取得され、より詳しい現在地を知ることもできる。
【００５８】
［処理例２：再生中の映像・音声をストリーミングする場合］
撮像装置１０１のユーザＡ１０は、現在時刻の数分〜数時間前に撮像装置１０１を利用してサーキットのスタンドからカーレースを撮像・記録した。そのときに、無線ＬＡＮアクセスポイントから位置情報、その場の温度・湿度などの環境情報を取得して撮影データに対応する環境情報として、撮像装置１０１の記憶手段に記録した。なお、記録された環境情報には時刻情報も含まれる。
【００５９】
ユーザＡ１０は、レースが終わったので、その場ですぐに、撮像したレースを、無線ＬＡＮ経由で友人宅にストリーミング送信する。このとき、撮像した映像・音声だけでなく、位置情報・温度・湿度・時刻情報などの環境情報も併せて送信する。
【００６０】
受信装置１０３は、ユーザＡ１０の撮像装置１０１から送信されるストリーミング映像・音声を出力手段１０４のディスプレイに表示する。さらに、ストリーミングデータに併せて受信する環境情報に基づく環境情報対応表示情報、すなわち、位置情報に基づく地名情報や、温度、湿度、時刻情報を環境情報対応表示情報として生成して入出力手段１０４に表示する。
【００６１】
さらに、図３を参照して説明したように、環境情報に対応する詳細情報のジャンルを指定するためのアイコンの表示を実行する。例えば、
「天候」
「タイヤコンディション」
などのアイコンを表示する。
【００６２】
ストリーミングデータの再生を行ない、データを視聴しているユーザＢ２０は、ジャンル指定アイコンを選択して、さらに各ジャンルに対応する環境情報対応詳細情報を見ることができる。
【００６３】
例えば、ユーザＢ２０が、ジャンル指定アイコン［天候］を指定すると、ジャンル指定情報が受信装置１０３に入力され、受信装置１０３は、ジャンル［天候］に対応する環境情報詳細情報をデータベース１２１またはサーバ１２２から取得して、入出力手段１０４に出力する。例えば、受信装置１０３は、撮像装置１０１から受信した環境情報としての位置、時間情報に基づくデータベースやサーバ検索を実行して、そのときの天候はどうだったかといった環境情報対応詳細情報を取得して、入出力手段１０４に出力し表示を行なう。
【００６４】
さらに、ユーザＢ２０が、ジャンル指定アイコン［タイヤコンディション］を指定すると、ジャンル指定情報が受信装置１０３に入力され、受信装置１０３は、ジャンル［タイヤコンディション］に対応する環境情報詳細情報をデータベース１２１またはサーバ１２２から取得して、入出力手段１０４に出力する。例えば、受信装置１０３は、撮像装置１０１から受信した環境情報としての位置、時間情報に基づくデータベースやサーバ検索を実行して、そのときの天候を取得し、さらにその天候に対応する最適なタイヤの種類情報（例えばメーカー、型番）等を環境情報対応詳細情報として取得して、入出力手段１０４に出力し表示を行なう。
【００６５】
［処理例３：記録されている映像・音声をストリーミングする場合］
撮像装置１０１のユーザＡ１０は旅行に行き、ヨーロッパ各地を転々として撮像した。そのとき、撮像装置１０１に備えられたＧＰＳにより位置情報を取得して撮影データとともに位置情報を併せて撮像装置内の記憶手段に記録した。記録される環境情報は、位置情報と時刻情報を含む。後日、ユーザＡ１０は、撮像装置１０１をストリーミングサーバとしてネットワークに接続した状態で設置し、両親にメールでそのＵＲＬ、すなわち撮像装置内の記憶手段に格納したコンテンツにアクセスするためのＵＲＬを通知する。
【００６６】
両親宅にある受信装置１０３からその通知されたＵＲＬにアクセスすると、撮像装置１０１のコンテンツにアクセスされ、コンテンツのストリーミング再生（ダウンロード再生）が開始される。撮影コンテンツには、映像・音声に対応する環境情報、すなわち位置情報が対応付けられており、映像・音声データとともに、撮影された時刻情報、位置情報が環境情報として送られる。
【００６７】
受信装置１０３は、撮像された映像の表示に併せて、環境情報として取得した時刻を環境情報対応表示情報として表示する。さらに、表示シーンが切り替わるごとにそのシーンが記録された観光地の名前、地図、観光情報などを切り替え表示する。これらの情報は、環境情報としての位置情報に基づいてデータベース、サーバから取得する。さらに、図３を参照して説明した環境情報に対応する詳細情報のジャンルを指定するためのアイコンの表示を実行する。例えば、「グルメ」、「ショッピング」、「イベント」などのジャンル指定アイコンの表示を行ない、ユーザによるアイコンの選択がなされた場合は、その選択アイコンに対応するジャンルの詳細情報をデータベース、サーバから取得して環境情報対応詳細情報として表示する。
【００６８】
このように受信装置１０３は、撮像装置１０１から受信する環境情報に基づいて、データベースやサーバから様々な情報の取得処理を行い、これらを
環境情報対応表示情報、あるいは、
環境情報対応詳細情報、
として入出力手段１０４に出力し、入出力手段１０４のディスプレイに表示する。
【００６９】
次に、図５を参照して、撮像装置と、受信装置および入出力装置と、サーバおよびデータベースとの間で実行される処理シーケンスの一例について説明する。まず、ステップＳ１０１において、撮像装置は、撮影データと環境情報を受信装置に送信する。受信装置は、ステップＳ１０２において、撮像装置から受信した環境情報に基づく表示情報、すなわち、環境情報対応表示情報をサーバやデータベースから取得するため、受信した環境情報に基づくデータ検索を実行し、ステップＳ１０３においてサーバやデータベースから検索結果としての情報を取得する。
【００７０】
受信装置および入出力装置は、ステップＳ１０４において、サーバやデータベースから取得した検索結果に基づいて、環境情報対応表示情報を生成して、ディスプレイに出力する。この表示情報には、環境情報対応詳細情報を取得するためのアイコン、すなわち、図３を参照して説明したジャンル対応のアイコンが含まれる。
【００７１】
ステップＳ１０５において、ユーザがディスプレイに表示されたアイコンを指定して特定のジャンルに対応する詳細情報の取得をリクエストすると、受信装置は、ステップＳ１０６において、その指定ジャンルに対応する環境情報対応詳細情報をサーバやデータベースから取得するため、詳細情報取得のためのデータ検索を実行し、ステップＳ１０７においてサーバやデータベースから検索結果としての情報を取得する。
【００７２】
さらに、ステップＳ１０８において、受信装置および入出力装置は、サーバやデータベースから取得した検索結果に基づいて、環境情報対応詳細情報を生成して、ディスプレイに出力する。この表示情報は、例えば、図３に示す環境情報対応詳細情報表示領域２０３に表示される観光情報などである。
【００７３】
なお、撮像装置からの環境情報を受け取った受信装置が、さらに受信装置自身においても環境情報を取得する構成として、撮像装置と受信装置の両方の環境情報を用いて、より詳細な情報を取得し表示する構成としてもよい。例えば、受信装置が自身の位置情報を取得し、この位置情報と、撮像装置の位置情報を適用し、受信装置のある場所から撮像装置のある場所（撮像した場所）への行き方（経路・運賃・時刻表などの情報）や、これら２点間の時差、気温差などといったものを環境情報に基づく表示情報として生成して出力する。
【００７４】
最後に、本発明の処理を実行する情報処理装置の構成について、図６、図７を参照して説明する。図６はデータ送信機器の一例としてのデジタルビデオカメラ、図７は、データ受信機器の一例としての受信ボックスの構成例を示す図である。なお、図７に示す受信ボックスは出力手段と一体とした構成例である。
【００７５】
まず、図６を参照して、ビデオカメラ３００の構成について説明する。ビデオカメラ３００は、撮影処理に際して、撮影情報取得部としての映像入力部（カメラ）３０１から映像を入力し、音声入力部（マイク）３０３から音声を入力し、それぞれの入力情報である撮像情報（撮像データ）、音声情報（音声データ）をビデオエンコーダ３０２、オーディオエンコーダ３０４においてエンコード処理を実行して、制御部３０５の制御の下、記録管理部３０６を介して、磁気テープ、ＨＤＤ、ＤＶＤなどの記憶装置と３０７に記録する。
【００７６】
さらに、環境情報取得部３２２は、例えばＧＰＳなどのセンサ３２１から各種の環境情報を取得し、取得された環境情報が、撮影データに対応づけられて磁気テープ、ＨＤＤ、ＤＶＤなどの記憶装置と３０７に記録される。なお、環境情報は、先に説明したように、「位置情報」、「時間」、「温度」、「湿度」、「風向」、「風速」、「気圧」、「紫外線量」といった環境情報であり、センサ３２１は、これらの環境情報を取得可能なセンサである。
【００７７】
また、記憶装置３０７に記録されたデータの再生処理に際しては、記録管理部３０６が記憶装置３０７から音声およびビデオのエンコードデータを取得して、それぞれオーディオデコーダ３１３、ビデオデコーダ３１１においてデコード処理を実行し、音声データは、音声出力部（スピーカ）３１４を介して出力し、ビデオデータは、映像出力部（ＬＣＤ）３１２を介して出力される。
【００７８】
本発明の特徴の１つであるデータ送信処理について説明する。ビデオカメラ３００は、撮影中のデータ、あるいは、記憶装置３０７に記録されたデータをネットワークＩ／Ｆ３０９を介して送信する処理を行なう。撮影データについては、ストリーミング映像・音声送信部３０８を介して、また環境情報に関しては環境情報送信部３２３によって、データ送信が行われる。例えば撮影データを送信する場合、ストリーミング映像・音声送信部３０８１は、オーディオエンコーダ３０４の生成した音声エンコードデータと、ビデオエンコーダ３０２の生成したビデオエンコードデータを入力して、これらのエンコードデータを格納したパケットを生成してネットワークＩ／Ｆ３０９を介して出力する。
【００７９】
環境情報に関しては環境情報送信部３２３によって、データ送信が行われる。「環境情報」の送信処理は、前述したように、映像・音声のストリーミング自身に含めるか、もしくはシグナリングのメッセージなどを適用して別パケットで送信する構成としてもよい。また環境情報の送信処理は、予め規定した一定間隔ごとに行なう設定としてもよいし、センシング情報に変化が確認された場合に送信処理を行なう構成としてもよい。
【００８０】
なお、例えば記憶装置３０７に記録されたデータの再生処理に併せて、再生データと環境情報を送信することも可能である。この場合は、記録管理部３０６が撮影情報取得部として機能し、記憶装置３０７から音声およびビデオのエンコードデータと環境情報を取得して、それぞれオーディオデコーダ３１３、ビデオデコーダ３１１においてデコード処理を実行するとともに、記録管理部３０６が記憶装置３０７から取得した音声およびビデオのエンコードデータを制御部３０５の制御の下、ストリーミング映像・音声送信部３０８に入力し、これらの入力データを格納したパケットを生成してネットワークＩ／Ｆ３０９を介して出力する。同様に記録管理部３０６が記憶装置３０７から取得した環境情報を制御部３０５の制御の下、環境情報送信部３２３に入力し、これらの入力データを格納したパケットを生成してネットワークＩ／Ｆ３０９を介して出力する。
【００８１】
次に、図７を参照して、データ受信装置の一例としての受信ボックスの構成例について説明する。図７に示す受信ボックスは、通信手段と受信データの出力手段としての機能を持つ。
【００８２】
受信ボックス４００は、ネットワークＩ／Ｆ４０１を介して受信するデータについての再生処理を実行する場合、ストリーミング映像・音声受信部４０２は、ネットワークＩ／Ｆ４０１を介して受信するパケットの解析を実行して音声データ、ビデオデータの判別を実行して、それぞれのデータを制御部４０３の制御の下でビデオデコーダ４０４、オーディオデコーダ４０７に入力してデコード処理を実行し、音声データは、音声出力部４０８を介してスピーカなどによって出力する。
【００８３】
ビデオデータは、映像合成部４０５において、環境情報に基づく情報、すなわち、
環境情報対応表示情報、
環境情報対応詳細情報、
これらの情報との合成処理が実行されて、映像出力部４０６に出力表示される。この表示データは、例えば図３を参照して説明した表示データである。
【００８４】
環境情報受信部４１１は、撮像装置から撮影データに併せて送信される環境情報を受信し、環境情報対応表示情報生成部４１２において、環境情報対応表示情報が生成され、映像合成部４０５において撮影データとの合成された後、出力される。なお、環境情報対応表示情報生成部４１２において生成される環境情報対応表示情報は、図３の例では、環境情報表示領域２０２に表示されるデータであり、撮像装置から受信するストリーミングデータに対応する環境情報そのもののデータ、環境情報に基づいて生成される情報、さらに、環境情報に対応する詳細情報のジャンル指定用のアイコンなどである。
【００８５】
環境情報対応情報取得部４２１は、例えばユーザ入力部４２０からの環境情報対応詳細情報の取得リクエストに応じて、例えば外部サーバから環境情報対応詳細情報を取得する。取得された環境情報対応詳細情報は、環境情報対応詳細情報生成部４２２に入力され、詳細情報に基づく表示情報（例えば図３に示す環境情報対応詳細情報表示領域２０３の観光情報）が生成され、映像合成部４０５において撮影データとの合成された後、出力される。
【００８６】
なお、図７に示す受信ボックス４００には示していないが、前述したように、受信装置自身においても環境情報を取得する構成としてもよく、この場合は、受信ボックス４００に先に図６を参照して説明したと同様のＧＰＳなどのセンサを備える構成とする。このような構成により、撮像装置と受信装置の両方の環境情報を用いたより詳細な情報の取得、表示が可能となる。
【００８７】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【００８８】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【００８９】
例えば、プログラムは記録媒体としてのＨＤＤやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００９０】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するＨＤＤ等の記録媒体にインストールすることができる。
【００９１】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００９２】
以上、説明したように、本発明の一実施例の構成によれば、例えばビデオカメラ等の撮像装置において、撮影データに併せて、撮影場所を示す位置情報、時間情報、その他温度、湿度などの様々な環境情報を取得して撮影データとともに記録し、ネットワークを介して出力する。受信側の受信装置では、受信環境情報に基づく様々な表示情報、例えば、位置情報に基づく地図情報や都市名などの表示情報、あるいは観光情報などの詳細情報、また、位置および時間情報に基づく天候情報などをデータベースやサーバから取得して表示する。本構成により、撮影データのみならず、撮影データに対応する様々な関連情報を効率的に取得して表示することが可能となる。
【図面の簡単な説明】
【００９３】
【図１】本発明の一実施例に係るシステム構成例を示す図である。
【図２】本発明の一実施例に係るシステム構成例および受信装置側の情報取得処理例を説明する図である。
【図３】出力手段の表示画面に表示される表示データ例について説明する図である。
【図４】環境情報および環境情報に基づく表示情報の対応について説明する図である。
【図５】通信および表示シーケンスについて説明する図である。
【図６】データ送信機器の一例としてのビデオカメラの構成例について説明する図である。
【図７】データ受信装置の一例としての受信ボックスの構成例について説明する図である。
【符号の説明】
【００９４】
１０  ユーザＡ
２０  ユーザＢ
１０１  撮像装置
１０２  ネットワーク
１０３  受信装置
１０４  入出力手段
１２１  データベース
１２２  サーバ
２０１  、ストリーミングデータ表示領域
２０２  環境情報表示領域
２０３  環境情報対応詳細情報表示領域
３００  ビデオカメラ
３０１  映像入力部
３０２  ビデオエンコーダ
３０３  音声入力部
３０４  オーディオエンコーダ
３０５  制御部
３０６  記録管理部
３０７  記憶装置
３０８  ストリーミング映像・音声送信部
３０９  ネットワークＩ／Ｆ
３１１  ビデオデコーダ
３１２  映像出力部
３１３  オーディオデコーダ
３１４  音声出力部
３２１  センサ
３２２  環境情報取得部
３２３  環境情報送信部
４００  受信ボックス
４０１  ネットワークＩ／Ｆ
４０２  ストリーミング映像・音声受信部
４０３  制御部
４０４  ビデオデコーダ
４０５  映像合成部
４０６  映像出力部
４０７  オーディオデコーダ
４０８  音声出力部
４１１  環境情報受信部
４１２  環境情報対応表示情報生成部
４２０  ユーザ入力部
４２１  環境情報対応情報取得部
４２２  環境情報対応詳細情報生成部
【図４】
2008099094.tif 000003
【図５】
2008099094.tif 000004
【図６】
2008099094.tif 000005
【図７】
2008099094.tif 000006
【図１】
2008099094.tif 000007
【図２】
2008099094.tif 000008
【図３】
2008099094.tif 000009